(57)【要約】【課題】運搬および設置が容易で、かつ衛生的な飲料水を供給することが可能な飲料水製造装置の提供を目的とする。【解決手段】本考案の飲料水製造装置１は、運搬可能なコンテナ２と、コンテナ２内に設けられ、コンテナ２の外部から取り込んだ水をろ過および浄化する浄化ステーション３と、コンテナ２内に設けられ、飲料水を入れる容器Ｂの内部を洗浄する洗浄ステーション４と、浄化ステーション３により浄化された飲料水を容器Ｂ内に充填する飲料水充填ステーション５とを備えていることを特徴とする。【選択図】図２
0003208829.tif 000002
【実用新案登録請求の範囲】
【請求項１】
運搬可能なコンテナと、
前記コンテナ内に設けられ、前記コンテナの外部から取り込んだ水をろ過および浄化する浄化ステーションと、
前記コンテナ内に設けられ、飲料水を入れる容器の内部を洗浄する洗浄ステーションと、
前記浄化ステーションにより浄化された飲料水を前記容器内に充填する飲料水充填ステーションと
を備えた飲料水製造装置。
【請求項２】
前記浄化ステーションが、
前記コンテナの外部から取り込んだ水を一次ろ過する前処理ろ過槽と、
前記前処理ろ過槽により一次ろ過された一次処理水を殺菌するために、次亜塩素酸を生成させる次亜塩素酸発生ユニットと、
前記次亜塩素酸により殺菌された一次処理水が供給され、供給された一次処理水が除濁される限外ろ過膜ユニットと
を備えている請求項１記載の飲料水製造装置。
【請求項３】
前記飲料水製造装置が、セルフ式で前記飲料水を入れる容器に飲料水を充填するように構成され、
前記洗浄ステーションおよび前記飲料水充填ステーションが、前記コンテナ内に設けられたセルフ式水供給室に配置され、
前記洗浄ステーションが、容器内部を殺菌するための殺菌水を供給する殺菌水供給部と、前記殺菌水により洗浄された容器内部を洗い流すリンス水供給部とを備え、
前記飲料水充填ステーションが、飲料水を供給する飲料水供給部を備えている請求項１または２記載の飲料水製造装置。
【請求項４】
前記飲料水製造装置が、前記容器内に供給された飲料水の水量に応じた課金を行う課金装置を備えている請求項３記載の飲料水製造装置。
【請求項５】
前記飲料水製造装置が、前記容器の洗浄および飲料水の充填を自動で行う自動飲料水製造装置であり、
前記飲料水製造装置が、
前記洗浄ステーションおよび前記飲料水充填ステーションを共に有し、空の容器に自動で飲料水を充填する水充填装置を備えている請求項１または２記載の飲料水製造装置。
【請求項６】
前記飲料水製造装置が、
前記水充填装置に空の容器を搬送する第１のコンベアと、
前記水充填装置から飲料水が充填された容器を搬送する第２のコンベアと
を備え、
前記第１のコンベアに、前記空の容器の外部を洗浄する外部洗浄装置が設けられている請求項５記載の飲料水製造装置。
【請求項７】
前記飲料水製造装置が、前記セルフ式水供給室に加えて、前記容器の洗浄および飲料水の充填を自動で行う自動式水供給室を備え、
前記自動式水供給室は、
第２の洗浄ステーションおよび第２の飲料水充填ステーションを共に有し、空の容器に自動で飲料水を充填する水充填装置を備えている請求項３または４記載の飲料水製造装置。
【考案の詳細な説明】
【技術分野】
【０００１】
本考案は、飲料水製造装置に関する。
【背景技術】
【０００２】
水道設備を有しない地域や施設において、または、水道設備を有するが水道設備から供給される水が飲料水としては適していない地域や施設において、飲料水の提供が求められている。たとえば、井戸、河川、貯水池などの水源はあるが、その水源の水が飲料水としては適していない地域において、水源の水を浄化して、飲料水を提供可能とする装置が求められている。たとえば、特許文献１には、水源からの水を装置内に取り込んで、装置内に取り込まれた原水をろ過膜によりろ過処理することにより、飲料水を得ることができる装置が開示されている。
【先行技術文献】
【特許文献】
【０００３】
【特許文献１】特開２００１−１９８４４３号公報
【考案の概要】
【考案が解決しようとする課題】
【０００４】
特許文献１に示される装置は、災害時などの緊急時に用いられるものであるが、緊急時に用いられる装置は、日常的に飲料水を大量に供給することは想定されておらず、長期間（たとえば数年程度）装置を据え置くのに適した構造ではない。また、特許文献１に示される装置は、供給される飲料水、容器などの衛生面に関する対応が不充分であり、より安心で安全な飲料水を提供できる装置が望まれている。一方、飲料水が提供されていない地域や施設などにおいて、新たに水道設備やろ過装置が設けられた浄水設備を設けるのは、非常にコストや時間がかかり、経済的ではない。
【０００５】
そこで、本考案はかかる問題点に鑑みて、運搬および設置が容易で、かつ衛生的な飲料水を供給することが可能な飲料水製造装置の提供を目的とする。
【課題を解決するための手段】
【０００６】
本考案の飲料水製造装置は、運搬可能なコンテナと、前記コンテナ内に設けられ、前記コンテナの外部から取り込んだ水をろ過および浄化する浄化ステーションと、前記コンテナ内に設けられ、飲料水を入れる容器の内部を洗浄する洗浄ステーションと、前記浄化ステーションにより浄化された飲料水を前記容器内に充填する飲料水充填ステーションと
を備えていることを特徴とする。
【０００７】
また、前記浄化ステーションが、前記コンテナの外部から取り込んだ水を一次ろ過する前処理ろ過槽と、前記前処理ろ過槽により一次ろ過された一次処理水を殺菌するために、次亜塩素酸を生成させる次亜塩素酸発生ユニットと、前記次亜塩素酸により殺菌された一次処理水が供給され、供給された一次処理水が除濁される限外ろ過膜ユニットとを備えていることが好ましい。
【０００８】
また、前記飲料水製造装置が、セルフ式で前記飲料水を入れる容器に飲料水を充填するように構成され、前記洗浄ステーションおよび前記飲料水充填ステーションが、前記コンテナ内に設けられたセルフ式水供給室に配置され、前記洗浄ステーションが、容器内部を殺菌するための殺菌水を供給する殺菌水供給部と、前記殺菌水により洗浄された容器内部を洗い流すリンス水供給部とを備え、前記飲料水充填ステーションが、飲料水を供給する飲料水供給部を備えていることが好ましい。
【０００９】
また、前記飲料水製造装置が、前記容器内に供給された飲料水の水量に応じた課金を行う課金装置を備えていることが好ましい。
【００１０】
また、前記飲料水製造装置が、前記容器の洗浄および飲料水の充填を自動で行う自動飲料水製造装置であり、前記飲料水製造装置が、前記洗浄ステーションおよび前記飲料水充填ステーションを共に有し、空の容器に自動で飲料水を充填する水充填装置を備えていることが好ましい。
【００１１】
また、前記飲料水製造装置が、前記水充填装置に空の容器を搬送する第１のコンベアと、前記水充填装置から飲料水が充填された容器を搬送する第２のコンベアとを備え、前記第１のコンベアに、前記空の容器の外部を洗浄する外部洗浄装置が設けられていることが好ましい。
【００１２】
また、前記飲料水製造装置が、前記セルフ式水供給室に加えて、前記容器の洗浄および飲料水の充填を自動で行う自動式水供給室を備え、前記自動式水供給室は、第２の洗浄ステーションおよび第２の飲料水充填ステーションを共に有し、空の容器に自動で飲料水を充填する水充填装置を備えていることが好ましい。
【考案の効果】
【００１３】
本考案の飲料水製造装置によれば、運搬および設置が容易で、かつ衛生的な飲料水を供給することができる。
【図面の簡単な説明】
【００１４】
【図１】本考案の一実施形態の飲料水製造装置を示す概略図である。
【図２】本考案の一実施形態の飲料水製造装置の斜視図である。
【図３】図２の飲料水製造装置の上面図である。
【図４】本考案の他の実施形態の飲料水製造装置を示す概略図である。
【図５】本考案の他の実施形態の飲料水製造装置の斜視図である。
【図６】本考案のさらに他の実施形態の飲料水製造装置を示す概略図である。
【図７】本考案のさらに他の実施形態の飲料水製造装置の斜視図である。
【図８】図７の飲料水製造装置の上面図である。
【考案を実施するための形態】
【００１５】
以下、図面を参照し、本考案の飲料水製造装置を詳細に説明する。なお、以下に示す実施形態はあくまで一例であり、本考案の飲料水製造装置は、以下の実施形態に限定されるものではない。
【００１６】
＜第１実施形態＞
本実施形態の飲料水製造装置は、水源から原水を取り込み、原水を浄化することにより、飲料水を製造する。水源としては、たとえば、井戸、河川、湖沼などを挙げることができるが、所定の範囲の濁度の原水を取り込むことができれば、特に水源は限定されない。本実施形態の飲料水製造装置は、たとえば、水源はあるが、水源の水が飲料用ではない場所などにおいて使用され、飲料水の供給設備がない工場や学校などに設置される。
【００１７】
図１の概略図に示されるように、本実施形態の飲料水製造装置１は、運搬可能なコンテナ２を備えている。コンテナ２は、後述する浄化ステーション３、洗浄ステーション４、飲料水充填ステーション５を構成する各部材など、飲料水製造装置１の構成要素が収容される。コンテナ２は、たとえば、貨物輸送用の金属コンテナであり（図２参照）、たとえば、長手方向が２０フィートや４０フィート等の長さを有し、海上輸送、陸上輸送が可能に構成されている。そのため、コンテナ２を所望の場所まで運搬することにより、容易に飲料水製造装置１を運搬、設置することができる。コンテナ２は、本実施形態では、略直方体状であり、長手方向の両端に開閉可能な扉２１、２２を有している。扉２１、２２を開放することにより、コンテナ２内へ利用者や作業者が出入りすることが可能となっている。なお、コンテナ２は、飲料水製造装置１の構成要素が収容されるものであればよく、その形状や構造は限定されない。
【００１８】
コンテナ２内には、図１に示されるように、コンテナ２の外部から取り込んだ水をろ過および浄化する浄化ステーション３と、飲料水を入れる容器Ｂ（図２参照）の内部を洗浄する洗浄ステーション４と、浄化ステーション３により浄化された飲料水を容器Ｂ内に充填する飲料水充填ステーション５とを備えている。また、本実施形態では、飲料水製造装置１は、浄化ステーション３で浄化された水を貯留する貯留ステーション６も有している。各ステーション同士は、図示しない配管により接続されており、コンテナ２外部の水源から取り込まれた水は処理されながら、他のステーションへ送り込まれるように構成されている。また、コンテナ２内には、飲料水製造装置１の各装置に給電を行う発電機が設けられてもよいし、各装置はコンテナ２の外部から給電されてもよい。
【００１９】
本実施形態では、コンテナ２内に、浄化ステーション３、洗浄ステーション４、飲料水充填ステーション５が設けられており、水源から原水を取り込んで、コンテナ２内で原水の浄化が可能であり、コンテナ２内に空の容器Ｂを持ち込むことにより、容器Ｂの洗浄と、容器Ｂ内への飲料水の充填が可能である。そのため、飲料水用の水道設備がない地域や設備において、容易に飲料水を提供することができる。
【００２０】
浄化ステーション３は、ポンプＰによりコンテナ２外部の水源から取り込まれた原水を浄化する。本実施形態では、浄化ステーション３は、図２および図３に示されるように、コンテナ２の外部から取り込んだ水を一次ろ過する前処理ろ過槽３１と、前処理ろ過槽３１により一次ろ過された一次処理水を殺菌するために、次亜塩素酸を生成させる次亜塩素酸発生ユニット３２と、次亜塩素酸により殺菌された一次処理水が供給され、供給された一次処理水が除濁される限外ろ過膜ユニット３３とを備えている。前処理ろ過槽３１、次亜塩素酸発生ユニット３２および限外ろ過膜ユニット３３は、図示しない配管により接続されている。
【００２１】
本実施形態では、前処理ろ過槽３１は、配管で直列に繋がれた２つの前処理ろ過槽から構成され、第１の前処理ろ過槽でろ過された処理水が第２の前処理ろ過槽へと送られてさらにろ過される。また、次亜塩素酸発生ユニット３２は、たとえば、塩水タンク、次亜塩素酸発生装置、薬液注入ユニットにより構成される。また、本実施形態では、限外ろ過膜ユニット３３は、複数の（４つの）限外ろ過膜モジュールを備えている。なお、浄化ステーション３は、原水を浄化することが可能であれば、特にその構成や配置は図示するものに限定されるものではない。
【００２２】
本実施形態では、始動時にはまず、ポンプＰによって取水された原水が前処理ろ過槽３１で処理され、続いて限外ろ過膜ユニット３３で処理され、そしてこの処理水が次亜塩素酸発生ユニット３２の塩水タンクおよび次亜塩素発生装置に送水される。すなわち、次亜塩素酸発生ユニット３２による次亜塩素酸の添加のない、前処理ろ過および限外ろ過処理のみの処理水が、次亜塩素酸発生ユニット３２の塩水タンクおよび次亜塩素酸発生装置に満たされる。
【００２３】
続いて、次亜塩素酸発生ユニット３２において、所定の塩素濃度を有する最終的な処理水、すなわち限外ろ過膜を通された二次処理水が得られるような濃度で一次処理水に次亜塩素酸を添加できる程度の濃度の次亜塩素酸が生成される。生成された次亜塩素酸が一次処理水に添加され、さらに限外ろ過膜処理を経て得られる最終の二次処理水が所望の範囲の塩素濃度を有していることが確認されて初めて、飲料水としての供給が開始される。なお、上記浄化ステーション３の構成は、あくまで一例であり、浄化ステーション３は、他の装置構成や、他の方法で原水を浄化しても構わない。
【００２４】
浄化された水は、貯留ステーション６を構成するタンクＴに貯留される。なお、図２においては、複数のタンクＴが設けられているが、タンクＴの数は特に限定されない。また、タンクＴは、飲料水を貯留する飲料水貯留タンク以外に、原水を貯留するタンクや、洗浄ステーション４など、容器の洗浄に用いられる液体を貯留するタンクや、他の用途の液体を貯留するタンクであっても構わない。浄化ステーション３により浄化された処理水や、容器洗浄用の洗浄水は、複数のポンプからなるポンプユニットＰＵにより、貯留ステーション６から、洗浄ステーション４および飲料水充填ステーション５に送り込まれる。なお、ポンプユニットＰＵは、洗浄ステーション４および飲料水充填ステーション５に水を送り込むだけでなく、浄化ステーション３とタンクＴとの間など、他のステーション間での水の送り込みを行うこともでき、その数は特に限定されない。
【００２５】
本実施形態では、飲料水製造装置１は、セルフ式で飲料水を入れる容器に飲料水を充填するように構成されている。図２および図３に示されるように、洗浄ステーション４および飲料水充填ステーション５は、コンテナ２内に設けられたセルフ式水供給室Ｒ１に配置されている。セルフ式水供給室Ｒ１は、飲料水製造装置１の利用者が飲料水を容器Ｂに充填するために設けられたコンテナ２内の領域である。本実施形態では、セルフ式水供給室Ｒ１は、コンテナ２の一方の扉２１側に位置する端部の部屋として示されている。
【００２６】
洗浄ステーション４は、図３に示されるように、容器Ｂ内部を殺菌するための殺菌水を供給する殺菌水供給部４１と、殺菌水により洗浄された容器Ｂ内部を洗い流すリンス水供給部４２とを備えている。殺菌水供給部４１は、次亜塩素酸水などの殺菌水を容器Ｂ内部に供給可能となっている。本実施形態では、殺菌水供給部４１は、洗浄ステーション４に設けられた複数のシンクＳにそれぞれ設けられている。それぞれのシンクＳには、殺菌水供給部４１のノズルが設けられ、利用者が足踏みペダルや、ボタンなど、所定の操作部を操作することにより、殺菌水供給部４１のノズルから殺菌水が排出される。本実施形態では、シンクＳの殺菌水供給部４１に容器Ｂの開口が下向きになるように設置し、その状態で殺菌水をノズルから容器Ｂ内に噴射して、容器Ｂ内部を殺菌する。容器Ｂ内部を殺菌水により殺菌した後は、同様にノズルを有するリンス水供給部４２からリンス水を噴射して、容器Ｂ内部を洗浄する。なお、リンス水供給部４２から供給される水は、タンクＴに貯留された飲料水を用いることができる。
【００２７】
飲料水充填ステーション５は、飲料水を供給する飲料水供給部５１を備えている。飲料水供給部５１は、洗浄された容器Ｂ内に、飲料水を充填する。飲料水供給部５１は、蛇口やノズルなど、飲料水を供給可能な任意の構造とすることができる。飲料水供給部５１は、洗浄ステーション４と同様に、複数のシンクＳを有し、シンクＳに容器Ｂを置き、蛇口やノズルなどの操作部を操作することにより、飲料水を容器Ｂ内に充填することができる。本実施形態では、飲料水をセルフ式で容器Ｂに入れるため、飲料水製造装置１は、図２に示されるように、容器Ｂ内に供給された飲料水の水量に応じた課金を行う課金装置７を備えていてもよい。たとえば、課金装置７は、所定の金銭を支払うことにより購入または入金可能なプリペードカードなどを読み取るカードリーダであってもよいし、紙幣や貨幣などの投入が可能な精算装置であってもよい。また、課金装置７は、飲料水の充填量を計量するための計量装置を備えていてもよく、供給された飲料水の量に応じて課金を行ってもよい。
【００２８】
本実施形態では、たとえば、利用者が課金装置７にプリペイドカードなどを挿入し、所定の操作ボタンを操作すると、洗浄ステーション４および飲料水充填ステーション５の利用が可能となる。利用者は、洗浄ステーション４のシンクＳの殺菌水供給部４１に容器Ｂを逆さまにして配置し、容器Ｂ内部に殺菌水を噴射し、容器Ｂ内部を殺菌する。容器Ｂ内部を殺菌した後、リンス水供給部４２により容器Ｂ内部が洗浄される。つぎに、利用者は、飲料水充填ステーション５に殺菌・洗浄後の容器Ｂを移動させ、飲料水充填ステーション５の飲料水供給部５１から飲料水を容器Ｂ内部に充填する。これにより、利用者は必要なときに必要な量だけ、飲料水を得ることができる。そして、このように、簡便に飲料水を得ることができる飲料水製造装置１は、コンテナ２を飲料水が供給されていなかった地域に運搬することにより、簡単に設置することができるため、大がかりな給水設備などを設ける必要がない。
【００２９】
＜第２実施形態＞
つぎに、第２実施形態の飲料水製造装置について説明する。なお、以下の説明においては、第１実施形態と共通する点については説明を一部省略する。第１実施形態において説明した事項については、第２実施形態においても適用することができる。
【００３０】
本実施形態の飲料水製造装置１０は、容器の洗浄および飲料水の充填を自動で行う自動飲料水製造装置である。本実施形態の飲料水製造装置１０は、空の容器Ｂを自動で洗浄するとともに、原水を浄化して生成された飲料水を自動で空の容器Ｂに充填する。
【００３１】
本実施形態の飲料水製造装置１０は、図４および図５に示されるように、洗浄ステーション４および飲料水充填ステーション５を共に有する、空の容器Ｂに自動で飲料水を充填する水充填装置Ｆを備えている。これにより、水充填装置Ｆにおいて、空の容器Ｂが洗浄され、空の容器Ｂに自動で飲料水が充填される。なお、本実施形態の飲料水製造装置１０は、第１実施形態と同様に、浄化ステーション３および貯留ステーション６を有し、貯留ステーション６は水充填装置Ｆに図示しない配管により接続され、水充填装置Ｆに飲料水を供給している。
【００３２】
本実施形態では、飲料水製造装置１０は、水充填装置Ｆに空の容器Ｂを搬送する第１のコンベアＣ１と、水充填装置Ｆから飲料水が充填された容器Ｂを搬送する第２のコンベアＣ２とを備えている。これにより、充填が必要な空の容器Ｂは、第１のコンベアＣ１により水充填装置Ｆに自動で搬送され、水充填装置Ｆにおいて飲料水が充填された容器Ｂは、第２のコンベアＣ２により搬送される。このように、空の容器Ｂをコンテナ２内で自動で搬送し、自動で飲料水を充填することにより、飲料水が充填された容器Ｂを、セルフ式のものと比較して大量に生産することができる。そして、飲料水を供給する施設がない場所や、飲料水が販売されていない地域などに、コンテナ２を運搬して、飲料水製造装置１０を設置することにより、利用者は簡単に飲料水を購入することができる。
【００３３】
以下、本実施形態の飲料水製造装置１０をより詳細に説明する。まず、空の容器Ｂを第１のコンベアＣ１上に載せると、第１のコンベアＣ１上を空の容器Ｂが水充填装置Ｆに向かって搬送される。図４および図５に示されるように、第１のコンベアＣ１には、空の容器Ｂの外部を洗浄する外部洗浄装置８が設けられている。外部洗浄装置８は、空の容器Ｂの外部を、洗浄水と洗浄ブラシなどにより洗浄する。外部がきれいになった容器Ｂは、第１のコンベアＣ１により、水充填装置Ｆに搬送される。水充填装置Ｆ内に入った容器Ｂは、水充填装置Ｆに設けられた反転装置Ｆ１（図４参照）により、上下逆に反転され、容器Ｂの開口が下側を向く状態とされる。開口が下を向いた容器Ｂは、水充填装置Ｆ内に設けられた洗浄ステーション４により、容器Ｂの内部を殺菌および洗浄される。つぎに、反転装置Ｆ１により容器Ｂの開口が上側を向く状態に反転され、水充填装置Ｆ内に設けられた水充填ステーション５により、容器Ｂ内部に飲料水が充填される。飲料水が充填された容器Ｂは、水充填装置Ｆに設けられたキャップ取り付け装置Ｆ２（図４参照）により、キャップが取り付けられ、容器Ｂがキャップにより閉鎖される。なお、反転装置Ｆ１やキャップ取り付け装置Ｆ２は、公知の装置を用いることができるため、詳細な説明は省略する。
【００３４】
容器Ｂが閉鎖されると、第２のコンベアＣ２により、水充填装置Ｆから容器Ｂが搬送される。第２のコンベアＣ２上を移動する容器Ｂは、図５に示される、照明や赤外線照射など、異物を検出するための異物混入検出装置Ｄを通過する。異物混入がチェックされた後、容器Ｂのキャップ部分などを、シュリンクフィルムなどの包装により容器Ｂを包装する包装装置ＰＡを通過し、容器Ｂが販売可能な状態とされる。
【００３５】
このように、本実施形態によれば、空の状態の容器Ｂを自動で搬送および充填することができる。そして、コンテナ２を飲料水を供給する施設が無い場所や、飲料水が販売されていない地域に運搬することにより、利用者が簡単に飲料水を入手することが可能になり、大がかりな給水設備などを設ける必要がない。
【００３６】
＜第３実施形態＞
つぎに、第３実施形態の飲料水製造装置について説明する。なお、以下の説明においては、第１実施形態および第２実施形態と共通する点については説明を一部省略する。第１実施形態および第２実施形態において説明した事項については、第３実施形態においても適用することができる。
【００３７】
本実施形態の飲料水製造装置１００は、セルフ式での容器Ｂへの飲料水の充填と、自動での容器Ｂへの飲料水の充填が可能である。本実施形態の飲料水製造装置１００は、図６〜図８に示されるように、セルフ式水供給室Ｒ１に加えて、容器Ｂの洗浄および飲料水の充填を自動で行う自動式水供給室Ｒ２を備えている。自動式水供給室Ｒ２は、第２の洗浄ステーション４００および第２の飲料水充填ステーション５００を共に有する、空の容器Ｂに自動で飲料水を充填する水充填装置Ｆを備えている。セルフ式水供給室Ｒ１に設けられた洗浄ステーション４および飲料水充填ステーション５は、第１実施形態で説明したものとほぼ同じである。また、第２の洗浄ステーション４００および第２の飲料水充填ステーション５００を含め、自動で飲料水を充填する水充填装置Ｆは、第２実施形態で説明したものとほぼ同じであり、浄化ステーション３、貯留ステーション６もほぼ同様のものとすることができる。
【００３８】
本実施形態の飲料水製造装置１００では、利用者は、コンテナ２内でセルフ式に容器Ｂに飲料水を充填することもできるし、自動で容器Ｂに飲料水を充填するか、または自動で飲料水が充填された容器Ｂを購入することができる。したがって、利用者はセルフ式と自動式のいずれかを選ぶことができ、必要なときに必要な量だけ、飲料水を入手することができる。そして、このような簡便に飲料水を得ることができる飲料水製造装置１００は、コンテナ２を飲料水が供給されていなかった地域や、飲料水が販売されていない地域に運搬することにより、簡単に設置することができるため、大がかりな給水設備などを設ける必要がない。
【符号の説明】
【００３９】
１、１０、１００  飲料水製造装置
２  コンテナ
２１、２２  扉
３  浄化ステーション
３１  前処理ろ過槽
３２  次亜塩素酸発生ユニット
３３  限外ろ過膜ユニット
４  洗浄ステーション
４１  殺菌水供給部
４２  リンス水供給部
４００  第２の洗浄ステーション
５  飲料水充填ステーション
５１  飲料水供給部
５００  第２の飲料水充填ステーション
６  貯留ステーション
７  課金装置
８  外部洗浄装置
Ｂ  容器
Ｃ１  第１のコンベア
Ｃ２  第２のコンベア
Ｄ  異物混入検出装置
Ｆ  水充填装置
Ｆ１  反転装置
Ｆ２  キャップ取り付け装置
Ｐ  ポンプ
ＰＡ  包装装置
ＰＵ  ポンプユニット
Ｒ１  セルフ式水供給室
Ｒ２  自動式水供給室
Ｓ  シンク
Ｔ  タンク
【図１】
0003208829.tif 000003
【図２】
0003208829.tif 000004
【図３】
0003208829.tif 000005
【図４】
0003208829.tif 000006
【図５】
0003208829.tif 000007
【図６】
0003208829.tif 000008
【図７】
0003208829.tif 000009
【図８】
0003208829.tif 000010